(57)【要約】  【課題】電子画像を扱う電子機器が載置される補助装置にプロジェクタを搭載し、使い勝手のよいプロジェクタ付き電子機器用補助装置を提供する。  【解決手段】プロジェクタ部を備えるクレードル１００は、投射スイッチ１０１のオン操作に応じて、クレードル１００に載置されている電子カメラ２００へ電源オンおよびメイン液晶表示器２０１の表示オフを指示する。クレードル１００にＣＰＵ１３１（図２）を設け、電子カメラ２００からクレードル１００へ送信された画像データが画像圧縮されている場合にはＣＰＵ１３１（図２）で伸長処理を行う。クレードル１００のＣＰＵ１３１（図２）は、伸長処理を施した画像データをプロジェクタ部の投射解像度に応じてリサイズ処理し、リサイズ後のデータをメモリカードに記録する。ＣＰＵ１３１（図２）は、リサイズ後の画像データをメモリカードから読出し・再生処理してプロジェクタ部に投射させる。  【選択図】図１
2006157349.tif 000002
【特許請求の範囲】
【請求項１】
電子機器が載置される機器載置部と、
前記機器載置部に載置されている電子機器との間で通信を行う通信手段と、
光像形成素子に形成された像を投射するプロジェクタ装置と、
前記通信手段を介して前記電子機器から取得した信号を用いて形成した像を投射するように前記プロジェクタ装置を制御する投射制御手段とを備えることを特徴とするプロジェクタ付き電子機器用補助装置。
【請求項２】
請求項１に記載のプロジェクタ付き電子機器用補助装置において、
投射指示に応じて、前記電子機器へ表示器オフを指示する信号を前記通信手段から送信させる制御手段をさらに備えることを特徴とするプロジェクタ付き電子機器用補助装置。
【請求項３】
請求項２に記載のプロジェクタ付き電子機器用補助装置において、
前記投射制御手段は、前記電子機器から画像データを取得し、当該画像データによる再生画像を投射するように前記プロジェクタ装置を制御することを特徴とするプロジェクタ付き電子機器用補助装置。
【請求項４】
請求項３に記載のプロジェクタ付き電子機器用補助装置において、
前記投射制御手段は、前記画像データを新しいものから順に取得することを特徴とするプロジェクタ付き電子機器用補助装置。
【請求項５】
請求項２または３に記載のプロジェクタ付き電子機器用補助装置において、
前記電子機器から取得した画像データを前記プロジェクタ装置の投射解像度に応じたデータサイズにリサイズ処理するリサイズ処理手段と、
前記リサイズ処理後の画像データを記録媒体に記録する記録手段とをさらに備えることを特徴とするプロジェクタ付き電子機器用補助装置。
【請求項６】
請求項２〜５のいずれか一項に記載のプロジェクタ付き電子機器用補助装置において、
前記投射制御手段は、前記電子機器との間の通信状態を示す像を投射するように前記プロジェクタ装置を制御することを特徴とするプロジェクタ付き電子機器用補助装置。
【請求項７】
請求項６に記載のプロジェクタ付き電子機器用補助装置において、
前記電子機器へ充電電力を供給する電力供給手段をさらに備え、
前記投射制御手段は、前記電子機器の充電状態を示す像を投射するように前記プロジェクタ装置を制御することを特徴とするプロジェクタ付き電子機器用補助装置。
【請求項８】
請求項２に記載のプロジェクタ付き電子機器用補助装置において、
前記投射制御手段は、前記電子機器からビデオ信号を取得し、当該ビデオ信号による再生画像を投射するように前記プロジェクタ装置を制御することを特徴とするプロジェクタ付き電子機器用補助装置。
【請求項９】
請求項１〜８のいずれか一項に記載のプロジェクタ付き電子機器用補助装置と、
撮影した画像データおよび前記撮影した画像を再生するビデオ信号の少なくとも一方を出力する電子カメラとを備えることを特徴とする電子カメラシステム。
【発明の詳細な説明】
【技術分野】
【０００１】
本発明は、電子カメラなどの電子機器とともに用いられる電子機器用補助装置に関する。
【背景技術】
【０００２】
充電池で駆動される携帯電話機などの電子機器へ充電用の電流を供給したり、電子機器との間で通信を行ったりする電子機器用の補助装置としてクレードルが知られている。一方、スクリーンなどに画像などの光学像を投射するプロジェクタ装置も広く利用されている。発明者は、クレードルに載置される電子機器が画像を扱う場合には、当該クレードルにプロジェクタ機能を備えるように構成すると、クレードルを介して電子画像とプロジェクタとを組み合わせることができて好都合と考えた。現時点において、プロジェクタ機能を備えるクレードルに関して記載すべき先行技術情報は見つからない。
【発明の開示】
【発明が解決しようとする課題】
【０００３】
電子画像を扱う電子機器が載置される電子機器用補助装置にプロジェクタを搭載し、使い勝手のよいプロジェクタ付き電子機器用補助装置、および電子カメラシステムを提供する。
【課題を解決するための手段】
【０００４】
請求項１に記載の発明によるプロジェクタ付き電子機器用補助装置は、電子機器が載置される機器載置部と、機器載置部に載置されている電子機器との間で通信を行う通信手段と、光像形成素子に形成された像を投射するプロジェクタ装置と、通信手段を介して電子機器から取得した信号を用いて形成した像を投射するようにプロジェクタ装置を制御する投射制御手段とを備えることを特徴とする。
請求項１に記載のプロジェクタ付き電子機器用補助装置において、投射指示に応じて、電子機器へ表示器オフを指示する信号を通信手段から送信させる制御手段をさらに備えてもよい。
請求項２に記載のプロジェクタ付き電子機器用補助装置において、電子機器から画像データを取得し、当該画像データによる再生画像を投射するようにプロジェクタ装置を制御するべく投射制御手段を構成してもよい。
請求項３に記載のプロジェクタ付き電子機器用補助装置において、画像データを新しいものから順に取得するように投射制御手段を構成することもできる。
請求項２または３に記載のプロジェクタ付き電子機器用補助装置はさらに、電子機器から取得した画像データをプロジェクタ装置の投射解像度に応じたデータサイズにリサイズ処理するリサイズ処理手段と、リサイズ処理後の画像データを記録媒体に記録する記録手段とを備えることもできる。
請求項２〜５のいずれか一項に記載のプロジェクタ付き電子機器用補助装置において、電子機器との間の通信状態を示す像を投射するようにプロジェクタ装置を制御するべく投射制御手段を構成してもよい。
請求項６に記載のプロジェクタ付き電子機器用補助装置はさらに、電子機器へ充電電力を供給する電力供給手段を備えてもよく、この場合の投射制御手段は、電子機器の充電状態を示す像を投射するようにプロジェクタ装置を制御することもできる。
請求項２に記載のプロジェクタ付き電子機器用補助装置において、電子機器からビデオ信号を取得し、当該ビデオ信号による再生画像を投射するようにプロジェクタ装置を制御するべく投射制御手段を構成してもよい。
請求項９に記載の発明による電子カメラシステムは、請求項１〜８のいずれか一項に記載のプロジェクタ付き電子機器用補助装置と、撮影した画像データおよび撮影した画像を再生するビデオ信号の少なくとも一方を出力する電子カメラとを備えることを特徴とする。
【発明の効果】
【０００５】
請求項１〜８に記載の発明では、機器載置部に載置されている電子機器から取得した信号を用いて形成した像を投射するように構成したので、使い勝手のよいプロジェクタ付き電子機器用補助装置が得られる。
請求項９に記載の発明では、機器載置部に載置されている電子カメラから取得した信号を用いて形成した像を投射するように構成したので、使い勝手のよい電子カメラシステムが得られる。
【発明を実施するための最良の形態】
【０００６】
以下、図面を参照して本発明を実施するための最良の形態について説明する。
（第一の実施形態）
図１は、本発明の第一の実施形態による電子カメラシステムの斜視図である。図１において、電子カメラ２００が背面を手前にしてクレードル１００上の機器載置部１００Ｓに載置されている。クレードル１００は、ＵＳＢケーブル５１を介してパーソナルコンピュータ３００と接続されている。クレードル１００には、電源ケーブル５２を介して商用電源が供給されている。
【０００７】
クレードル１００には、投射スイッチ(on/off)１０１と、後戻しスイッチ１０２と、先送りスイッチ１０３と、表示切換スイッチ１０４と、削除スイッチ１０５と、メモリスロット１０６と、プロジェクタ投射窓（不図示）とが設けられている。クレードル１００には後述するプロジェクタ部が収容されており、当該プロジェクタ部はプロジェクタ投射窓からスクリーンなどに向けて画像などの情報を投射する。図１において符号Ｐは投射像を表す。
【０００８】
電子カメラ２００の背面には、メイン液晶表示器２０１と、操作部材２０２と、ファインダ接眼窓２０３とが設けられている。操作部材２０２は、メニューボタン(MENU)、表示ボタン(DISP)、十字操作キーなどを含む。電子カメラ２００の上面には、メインスイッチ(Power)と、レリーズボタン２０５とが設けられている。また、電子カメラ２００の正面には、撮影レンズと、ファインダ対物窓と、フラッシュ光窓と（いずれも不図示）が設けられている。
【０００９】
図２は、図１の電子カメラシステムの構成を説明するブロック図である。
（クレードル）
図２において、クレードル１００はプロジェクタ部１２０と、ＣＰＵ１３１と、メモリ１３２と、操作部材１１０と、ビデオインターフェイス(VIDEO I/F)１３３と、ＬＡＮインターフェイス(LAN I/F)１３４と、ＵＳＢインターフェイス(USB I/F)１３５と、外部電源回路１３６と、カメラインターフェイス１３７と、スピーカ１３８とを有する。着脱可能なメモリカード１５０は、メモリスロット１０６（図１）内に実装されている。 操作部材１１０は、上記各スイッチ１０１〜１０５に対応する。
【００１０】
ＣＰＵ１３１は、クレードル制御プログラムに基づいて、クレードル１００を構成する各部から入力される信号を用いて所定の演算を行うなどしてクレードル１００の各部に対する制御信号を送出することにより、通信動作およびプロジェクタ動作の制御を行う。なお、クレードル制御プログラムはＣＰＵ１３１内の不図示の不揮発性メモリに格納されている。ＣＰＵ１３１は不図示のタイマー回路を備えており、時刻情報を得るための計時処理も行う。
【００１１】
メモリ１３２はＣＰＵ１３１の作業用メモリとして使用される。メモリカード１５０はフラッシュメモリなどの不揮発性メモリによって構成され、ＣＰＵ１３１の指令によりデータの書き込み、保存および読み出しが可能である。
【００１２】
ビデオインターフェイス(VIDEO I/F)１３３は、電子カメラ２００がクレードル１００上に載置されている場合に電子カメラ２００からカメラインターフェイス１３７を介して送信される画像データもしくはビデオ信号による再生画像や、電子カメラ２００がクレードル１００上に載置されていない場合にメモリカード１５０から読出した画像データによる再生画像を、外部テレビモニタなどに表示するためのビデオ信号を生成する。外部テレビモニタなどをビデオインターフェイス(VIDEO I/F)１３３へ接続することにより、当該テレビモニタに再生画像が表示される。
【００１３】
ＬＡＮインターフェイス(LAN I/F)１３４は、ＣＰＵ１３１の指令により、ＬＡＮケーブル（不図示）で接続されている他の外部機器（たとえば、ＤＶＤ録画／再生機、監視カメラなど）との間でデータの送受を行う。ＵＳＢインターフェイス(USB I/F)１３５は、ＣＰＵ１３１の指令により、ＵＳＢケーブル５１を介して接続されている他の外部機器（たとえば、パーソナルコンピュータ３００、プリンタ、フォトデータストレージ装置など）との間でデータの送受を行う。
【００１４】
外部電源回路１３６は、ＡＣ／ＤＣ変換回路などで構成され、電源ケーブル５２を介して入力される交流電圧をクレードル１００内の各部で必要な直流電圧に変換し、変換後の電圧を各ブロックへ供給する。外部電源回路１３６はさらに、カメラ２００内の充電池を充電するために必要な充電電流をカメラインターフェイス１３７を介して電子カメラ２００へ供給する。
【００１５】
カメラインターフェイス１３７は、ＣＰＵ１３１の指令により、電子カメラ２００がクレードル１００上に載置されている場合に電子カメラ２００との間でデータ通信や充電電流の供給を行う。カメラインターフェイス１３７には、制御信号を送受するコントロールインターフェイス(Control I/F)ライン、ビデオ信号を送受するビデオインターフェイス(VIDEO I/F)ライン、および画像データや音声データ（デジタル信号）を送受するデジタルインターフェイス(Digital I/F)ラインと、充電電流を供給する電源ラインとが含まれている。
【００１６】
スピーカ１３８は、ＣＰＵ１３１の指令により、ＣＰＵ１３１から出力されたり、電子カメラ２００からカメラインターフェイス１３７を介して送信される音声データによる音声を再生する。操作部材１１０は、操作された各スイッチに対応する操作信号をＣＰＵ１３１へ送出する。
【００１７】
プロジェクタ部１２０は、投影レンズ１２１と、液晶パネル１２２と、ＬＥＤ光源１２３と、ＬＥＤ駆動回路１２４と、液晶駆動回路１２５と、レンズ駆動回路１２６とを含む。ＬＥＤ駆動回路１２４は、ＣＰＵ１３１から出力されるＬＥＤ駆動信号に応じてＬＥＤ光源１２３に電流を供給する。ＬＥＤ光源１２３は、供給電流に応じた明るさで液晶パネル１２２を照明する。
【００１８】
液晶駆動回路１２５は、ＣＰＵ１３１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００１９】
レンズ駆動回路１２６は、ＣＰＵ１３１から出力される制御信号に基づいて、投影レンズ１２１を光軸に対して直交する方向へ進退駆動する。投影レンズ１２１は、液晶パネル１２２から射出される光像をスクリーンなどへ向けて投射する。プロジェクタ部１２０は、投射を開始させるための操作信号が操作部材１１０からＣＰＵ１３１に入力され、この操作信号に応じてＣＰＵ１３１が出力する投射指令を受けると投射を開始する。
【００２０】
プロジェクタ部１２０は、ＣＰＵ１３１の指令により下記（１）〜（４）のいずれかに対応する画像を投射する。ＣＰＵ１３１は、表示切換スイッチ１０４から操作信号が入力されるごとに、（１）〜（４）の投射像を（１）→（２）→（３）→（４）→（１）…の順にサイクリックに切換えるようにプロジェクタ部１２０へ切換指示を送る。ただし、電子カメラ２００がクレードル１００上に載置されていない場合は（１）および（２）がスキップされ、クレードル１００にメモリカード１５０が装填されていない場合には（３）がスキップされる。
【００２１】
（１）カメラインターフェイス１３７のデジタルインターフェイス(Digital I/F)ラインを介して電子カメラ２００から送信される画像データによる再生画像
（２）カメラインターフェイス１３７のビデオインターフェイス(VIDEO I/F)ラインを介して電子カメラ２００から送信されるビデオ信号による再生画像
（３）メモリカード１５０に記録されている画像データによる再生画像
（４）ＣＰＵ１３１で計時された時刻を示す時刻表示画像
【００２２】
ＣＰＵ１３１は、クレードル１００から上記（１）に対応する画像を投射する場合、電子カメラ２００から受信した画像データが圧縮処理されている場合の伸長処理や、画像データから縮小サイズ画像を生成するリサイズ処理も行う。リサイズ処理は、プロジェクタ部１２０の投射解像度（液晶パネル１２２を構成する画素数であり、たとえば、６４０×４８０ドット）に応じて、受信した画像データよりデータサイズが小さな縮小画像データを生成するものである。液晶駆動回路１２５は、リサイズ後の縮小画像データを用いて液晶パネル駆動信号を生成する。ＣＰＵ１３１は、縮小画像データを生成した場合に、当該縮小画像データをメモリカード１５０に格納する。
【００２３】
クレードル１００が電子カメラ２００から受信した画像データは、ＬＡＮインターフェイス(LAN I/F)１３４を介して接続されている外部機器（たとえば、ＤＶＤ録画／再生機、監視カメラなど）や、ＵＳＢインターフェイス(USB I/F)１３５を介して接続されている他の外部機器（たとえば、パーソナルコンピュータ３００、プリンタ、フォトデータストレージ装置など）へ転送可能に構成されている。画像データを転送する場合は、あらかじめ操作メニューなどで設定されている内容に基づいて、クレードル１００が受信した画像データをそのまま送信したり、上述したリサイズ処理後の縮小画像データを送信したりする。これにより、クレードル１００を介して電子カメラ２００から他の電子機器へ画像データをコピーすることが可能に構成される。
【００２４】
ＣＰＵ１３１は、クレードル１００から上記（２）に対応する画像を投射する場合、当該ビデオ信号を用いてプロジェクタ部１２０の投射解像度に応じた投射画像データを生成する。液晶駆動回路１２５は、生成した投射画像データを用いて液晶パネル駆動信号を生成する。上記ビデオ信号は、電子カメラ２００のメイン液晶表示器２０１に表示される内容に対応しており、撮影画像であったり、メニュー設定画面であったり、電子カメラ２００の動作状態を示す表示であったりする。
【００２５】
ＣＰＵ１３１は、クレードル１００から上記（３）に対応する画像を投射する場合、記録日時が最も新しい（記録されている画像データの中で最後に撮影されたもの）縮小画像データをメモリカード１５０から読出す。液晶駆動回路１２５は、メモリカード１５０から読出された縮小画像データを用いて液晶パネル駆動信号を生成する。
【００２６】
ＣＰＵ１３１は、上記（３）に対応する画像を投射している状態で後戻しスイッチ１０２から操作信号が入力されると、投射中の画像より１コマ前の縮小画像データをメモリカード１５０から読出す。液晶駆動回路１２５は、新たにメモリカード１５０から読出された縮小画像データに基づいて液晶パネル駆動信号を生成する。これにより、投射中の画像に代えて１コマ前の画像がプロジェクタ部１２０により投射される。
【００２７】
ＣＰＵ１３１は、上記（３）に対応する画像を投射している状態で先送りスイッチ１０３から操作信号が入力されると、投射中の画像より１コマ後の縮小画像データをメモリカード１５０から読出す。液晶駆動回路１２５は、新たにメモリカード１５０から読出された縮小画像データに基づいて液晶パネル駆動信号を生成する。これにより、投射中の画像に代えて１コマ後の画像がプロジェクタ部１２０により投射される。
【００２８】
ＣＰＵ１３１は、上記（３）に対応する画像を投射している状態で削除スイッチ１０５から操作信号が入力されると、投射中の画像に対応する縮小画像データをメモリカード１５０から削除するとともに、削除データより１コマ前の縮小画像データをメモリカード１５０から読出す。液晶駆動回路１２５は、新たにメモリカード１５０から読出された縮小画像データに基づいて液晶パネル駆動信号を生成する。これにより、投射画像に対応するデータを削除するとともに、１コマ前の画像がプロジェクタ部１２０により投射される。
【００２９】
ＣＰＵ１３１は、クレードル１００から上記（４）に対応する画像を投射する場合、タイマー回路による計時情報を用いて時刻を示す投射画像データを生成する。液晶駆動回路１２５は、生成された投射画像データに基づいて液晶パネル駆動信号を生成する。
【００３０】
（電子カメラ）
図２において、電子カメラ２００は撮像部２２０と、ＣＰＵ２３１と、メモリ２３２と、操作部材２１０と、外部インターフェイス（Ｉ／Ｆ）２３３と、マイク２３４と、スピーカ２３５と、メイン液晶表示器２０１と、バッテリー２３６と、充電回路２３７と、クレードルインターフェイス２３８とを有し、不図示のメモリスロット内に着脱可能なメモリカード２５０が実装されている。操作部材２１０は、上述した背面の操作部材２０２の他、上面のメインスイッチ(Power)およびレリーズボタン２０５を含む。
【００３１】
ＣＰＵ２３１は、カメラ制御プログラムに基づいて、電子カメラ２００を構成する各部から入力される信号を用いて所定の演算を行うなどして電子カメラ２００の各部に対する制御信号を送出することにより、カメラ動作の制御を行う。なお、カメラ制御プログラムはＣＰＵ２３１内の不図示の不揮発性メモリに格納されている。
【００３２】
メモリ２３２はＣＰＵ２３１の作業用メモリとして使用される。メモリカード２５０はフラッシュメモリなどの不揮発性メモリによって構成され、ＣＰＵ２３１の指令によりデータの書き込み、保存および読み出しが可能である。
【００３３】
外部インターフェイス(I/F)２３３は、ＣＰＵ２３１の指令により、インターフェイスケーブル（不図示）を介して接続される他の外部機器（たとえば、プリンタ、フォトデータストレージ装置など）との間でデータの送受を行う。
【００３４】
マイク２３４は、ＣＰＵ２３１の指令により、集音した音声を電気信号に変換してＣＰＵ２３１へ送出する。音声信号のデータは、録音時にメモリカード２５０に記録される。スピーカ２３５は、ＣＰＵ２３１の指令により、ＣＰＵ２３１から出力される音声データによる音声を再生する。操作部材２１０は、操作されたスイッチに対応する操作信号をＣＰＵ１３１へ送出する。
【００３５】
メイン液晶表示器２０１は、ＣＰＵ２３１の指令により画像やテキストなどの情報を表示する。テキスト情報は、電子カメラ２００の動作状態、操作メニューの内容などである。
【００３６】
バッテリー２３６は充電池により構成され、電子カメラ２００内の各部に必要な電力を供給する。充電回路２３７は、クレードルインターフェイス２３８を介してクレードル１００から供給される充電電流によりバッテリー２３６を充電する。
【００３７】
クレードルインターフェイス２３８は、電子カメラ２００がクレードル１００上に載置されている場合にクレードル１００との間でデータ通信や充電電流の受電を行う。クレードルインターフェイス２３８には、制御信号を送受するコントロールインターフェイス(Control I/F)ライン、ビデオ信号を送受するビデオインターフェイス(VIDEO I/F)ライン、および画像データや音声データを送受するデジタルインターフェイス(Digital I/F)ラインと、充電電流が供給される電源ラインとが含まれている。
【００３８】
撮像部２００は、撮影レンズ２２５と、イメージセンサ２２１と、レンズ駆動回路２２２と、撮像部制御ＣＰＵ２２３とを含む。イメージセンサ２２１としては、ＣＣＤやＣＭＯＳ撮像素子などが用いられる。撮像部制御ＣＰＵ２２３は、ＣＰＵ２３１の指令によりイメージセンサ２２１およびレンズ駆動回路２２２を駆動制御するとともに、イメージセンサ２２１から出力される撮像信号（蓄積電荷信号）に対して所定の画像処理を行う。画像処理は、ホワイトバランス処理やガンマ処理などである。
【００３９】
レンズ駆動回路２２２は、撮像部制御ＣＰＵ２２３からズーム制御信号を受けると、制御信号に応じて撮影レンズ２２５を構成するズームレンズ（不図示）をテレ側もしくはワイド側へ駆動する。撮影レンズ２２５は、イメージセンサ２２１の撮像面上に被写体像を結像させる。撮像部制御ＣＰＵ２２３はイメージセンサ２２１に撮像を開始させ、撮像終了後にイメージセンサ２２１から蓄積電荷信号を読み出し、上記画像処理を施した上で画像データとしてＣＰＵ２３１へ送出する。
【００４０】
ＣＰＵ２３１に入力された画像データは、メモリカード２５０に記録したり、クレードルインターフェイス２３８を介してクレードル１００へ送信可能に構成されている。なお、マイク２３４で集音された音声データについても、画像データとともメモリカード２５０へ記録したり、クレードルインターフェイス２３８を介してクレードル１００へ送信することが可能である。
【００４１】
本発明は、上記電子カメラシステムのクレードル１００側の動作に特徴を有するので、クレードル１００の制御を中心に説明する。
【００４２】
図３は、クレードル１００のＣＰＵ１３１で実行されるプログラムのメイン処理の流れについて説明するフローチャートである。図３による処理は、クレードル１００のＣＰＵ１３１に所定の電源電圧が印加され、クレードル１００上に電子カメラ２００が載置されると起動する。電子カメラ２００がクレードル１００上に載置されると、クレードルインターフェイス２３８およびカメラインターフェイス１３７が直接接続されるように構成されている。ＣＰＵ１３１は、たとえば、所定時間ごとにカメラインターフェイス１３７内の所定端子の信号レベルを検出し、この検出値に基づいて電子カメラ２００の載置を判定する。
【００４３】
図３のステップＳ１において、ＣＰＵ１３１は外部電源回路１３６へ指令を送り、電子カメラ２００に対する充電電流の供給を開始させてステップＳ２へ進む。これにより、電子カメラ２００のバッテリー２３６の電池電圧が所定値未満の場合に、バッテリー２３６に対する充電が行われる。
【００４４】
ステップＳ２において、ＣＰＵ１３１は投射スイッチがオンされたか否かを判定する。ＣＰＵ１３１は、投射スイッチ(on/off)１０１から操作信号が入力された場合にステップＳ２を肯定判定してステップＳ３へ進み、操作信号が入力されない場合にはステップＳ２を否定判定して図３による処理を終了する。クレードル１００は、電子カメラ２００のバッテリー２３６の電池電圧が所定値に達すると、自動的に充電電流の供給を終了するように構成されている。
【００４５】
ステップＳ３において、ＣＰＵ１３１は外部電源回路１３６へ指令を送り、電子カメラ２００に対する充電電流の供給を中断させてステップＳ４へ進む。
【００４６】
ステップＳ４において、ＣＰＵ１３１は、電子カメラ２００に対して電源オン処理をおよび液晶表示オフを指示してステップＳ５へ進む。具体的には、コントロールインターフェイス(Control I/F)ラインを介して電子カメラ２００へオン指示信号を送信する。電子カメラ２００のＣＰＵ２３１は、このオン指示信号に応じて電子カメラ２００の電源オン処理を行うように構成されている。ＣＰＵ１３１はさらに、上記オン指示信号とともにメイン表示器２０１の表示オフを指示する信号も送信するので、電子カメラ２００は電源オン処理後ただちにメイン表示器２０１の表示をオフ状態にする。
【００４７】
ステップＳ５において、ＣＰＵ１３１はクレードル１００に接続されている外部機器が電源オンされているか否かを判定する。ＣＰＵ１３１は、ＬＡＮインターフェイス(LAN I/F)１３４を介して接続されている外部機器、もしくはＵＳＢインターフェイス(USB I/F)１３５を介して接続されている外部機器の電源がオンされている場合にステップＳ５を肯定判定してステップＳ６へ進み、外部機器の電源がオンされていない（外部機器が接続されていない場合も含む）場合にはステップＳ５を否定判定し、ステップＳ１３へ進む。電源オン／オフ（非接続を含む）の判定は、ＬＡＮインターフェイス(LAN I/F)１３４もしくはＵＳＢインターフェイス(USB I/F)１３５を介して所定の通信プロトコルに基づいて通信する（試行する）ことによって行う。通信が成立した場合には電源オンを判定し、通信が非成立の場合には電源オフを判定する。
【００４８】
ステップＳ６において、ＣＰＵ１３１は、電子カメラ２００内に記録されている画像データが外部機器に対して転送済みか否かを判定する。ＣＰＵ１３１は、たとえば、画像データ転送管理テーブルを参照して画像データが転送済みか否かを判定し、転送済みを判定した場合はステップＳ６を肯定判定してステップＳ１５へ進む。ＣＰＵ１３１は、未転送を判定した場合にはステップＳ６を否定判定してステップＳ７へ進む。画像データ転送管理テーブルは、クレードル１００のメモリ１３２内に保存してもよいし、外部機器内のデータストレージ装置に保存するようにしてもよい。
【００４９】
ステップＳ７において、ＣＰＵ１３１は、接続されている外部機器に対してデータ転送を開始してステップＳ８へ進む。具体的には、電子カメラ２００のメモリカード２５０から未転送の画像データを読み出してメモリ１３２に記録するとともに、メモリ１３２に記録した画像データを外部機器へ送出する。データ転送は、メモリカード２５０に記録されている画像データの中で最後に撮影されたもの（記録日時が最も新しいもの）から順に転送する。ＣＰＵ１３１はさらに、メモリ１３２に記録した画像データが圧縮処理されている場合には伸長処理を施し、伸長処理後の画像データをプロジェクタ部１２０の投射解像度に応じてリサイズ処理し、リサイズ後のデータをメモリカード１５０に記録する。メモリカード１５０の記録領域が不足する場合は、電子カメラ２００のメモリカード２５０に記録されている画像データの記録日時がメモリカード１５０に記録されている画像データの記録日時より新しい場合に限り、メモリカード１５０に記録されている古い画像データを削除し、電子カメラ２００のメモリカード２５０から読出した新しい画像データを上書き（更新）記録する。これにより、新しい撮影日時のリサイズ画像データを記録する一方で、撮影日時の古いものからリサイズ画像データが削除される。
【００５０】
ステップＳ８において、ＣＰＵ１３１はプロジェクタ部１２０に投射開始を指示してステップＳ９へ進む。これにより、ＬＥＤ駆動回路１２４がＬＥＤ光源１２３を点灯させる。ステップＳ９において、ＣＰＵ１３１はプロジェクタ部１２０に「転送中」の投射を指示してステップＳ１０へ進む。これにより、液晶駆動回路１２５によって通信の状態を示す「転送中」表示が液晶パネル１２２に形成される。
【００５１】
ステップＳ１０において、ＣＰＵ１３１は、画像データの転送を終了したか否かを判定する。ＣＰＵ１３１は、ステップＳ６で未転送を判定した画像データを全て外部機器へ転送した場合にステップＳ１０を肯定判定してステップＳ１５へ進み、未転送のデータが存在する場合にはステップＳ１０を否定判定して当該判定処理を繰り返す。
【００５２】
ステップＳ１３において、ＣＰＵ１３１はプロジェクタ部１２０に投射開始を指示してステップＳ１４へ進む。これにより、ＬＥＤ駆動回路１２４がＬＥＤ光源１２３を点灯させる。ステップＳ１４において、ＣＰＵ１３１はプロジェクタ部１２０に「通信エラー」の投射を指示してステップＳ１５へ進む。これにより、液晶駆動回路１２５によって通信の状態を示す「通信エラー」表示が液晶パネル１２２に形成される。「通信エラー」は、通信非成立に対応する。
【００５３】
ステップＳ１５において、ＣＰＵ１３１は、メモリカード１５０に記録されているリサイズ後の画像データを読み出す再生処理を行う。再生処理では、操作メニューなどによってあらかじめ設定されている内容に基づいて、クレードル１００が投射する画像を所定時間ごとに自動的に切換える（いわゆるスライドショー）ように画像データを読出したり、後戻しスイッチ１０２および先送りスイッチ１０３からの操作信号に応じて投射画像を切換えるように画像データを読出したりする。ＣＰＵ１３１が読出した画像データは、プロジェクタ部１２０の液晶駆動回路１２５へ送られる。また、ＣＰＵ１３１は、表示切換スイッチ１０４から操作信号が入力された場合には、当該操作信号の入力に応じて上記（１）〜（４）の投射像をサイクリックに切換えるようにプロジェクタ部１２０へ切換指示を送る。なお、ステップＳ１５による投射像は、上記（３）に対応する。
【００５４】
ステップＳ１６において、ＣＰＵ１３１は、投射スイッチがオンされているか否かを判定する。ＣＰＵ１３１は、投射スイッチ(on/off)１０１から操作信号が継続して入力されている場合にステップＳ１６を肯定判定してステップＳ１５へ戻り、操作信号が入力されない場合にはステップＳ１６を否定判定してステップＳ１１へ進む。
【００５５】
ステップＳ１１において、ＣＰＵ１３１はプロジェクタ部１２０に投射終了を指示してステップＳ１２へ進む。これにより、ＬＥＤ駆動回路１２４がＬＥＤ光源１２３を消灯させる。
【００５６】
ステップＳ１２において、ＣＰＵ１３１は外部電源回路１３６へ指令を送り、中断させている電子カメラ２００に対する充電電流の供給を再開させて図３による処理を終了する。これにより、電子カメラ２００のバッテリー２３６の電池電圧が所定値に達するまでバッテリー２３６に対する充電が行われる。
【００５７】
以上説明した第一の実施形態によれば、次の作用効果が得られる。
（ａ）プロジェクタ部１２０を備えるクレードル１００は、投射スイッチ(on/off)１０１からのオン信号に応じて（ステップＳ２を肯定判定）、クレードル１００に載置されている電子カメラ２００へ電源オンおよびメイン液晶表示器２０１の表示オフを指示する（ステップＳ４）。したがって、電子カメラ２００に対して電源オン操作する手間が省ける上に、プロジェクタ部１２０による投射を行う際にメイン液晶表示器２０１による表示がオフされるので、電子カメラ２００で消費される電力を抑えることができる。
【００５８】
（ｂ）クレードル１００にＣＰＵ１３１を設け、電子カメラ２００からクレードル１００へ送信された画像データが画像圧縮されている場合にはＣＰＵ１３１で伸長処理を行うようにした。これにより、クレードル１００は、入力される画像データが圧縮されているか否かにかかわらず画像データを扱うことができる。
【００５９】
（ｃ）クレードル１００のＣＰＵ１３１は、上記（ｂ）で伸長処理を施した画像データをプロジェクタ部１２０の投射解像度に応じてリサイズ処理し、リサイズ後のデータをメモリカード１５０に記録する。ＣＰＵ１３１は、リサイズ後の画像データをメモリカード１５０から読出し・再生処理してプロジェクタ部１２０に投射させる。メモリカード１５０の記録容量は、プロジェクタ部１２０の投射解像度に応じた必要最小限でよいので、メモリカード１５０の使用容量節約に効果が得られる。
【００６０】
（ｄ）クレードル１００のＣＰＵ１３１は、クレードル１００を経由して電子カメラ２００から外部機器へ画像データを転送し（ステップＳ７）、転送が終了すると（ステップＳ１０を肯定判定）上記（ｃ）でメモリカード１５０に記録したリサイズ後の画像データを読出し・再生処理し、プロジェクタ部１２０に再生画像を投射させる（ステップＳ１５）。転送が終了すると自動的に画像が投射されることにより、観察者は、投射された大きな画像を観察して転送内容を確認することができる。
【００６１】
（ｅ）メモリカード１５０に記録されている画像データをＣＰＵ１３１が読出し・再生処理し、再生画像をプロジェクタ部１２０に投射させている（ステップＳ１５）状態において、表示切換スイッチ１０４からの操作信号に応じて上記（１）〜（４）に対応する投射像をサイクリックに切換え可能にした。これにより、電子カメラ２００からクレードル１００へ入力される画像のデータ形式、信号形式にかかわらず、再生画像をプロジェクタ部１２０で投射できる。
【００６２】
（ｆ）表示切換スイッチ１０４からの操作信号に応じて上記（２）に対応する画像を投射する場合は、電子カメラ２００のＣＰＵ２３１が生成したビデオ信号が電子カメラ２００からビデオインターフェイス(VIDEO I/F)ラインを介してクレードル１００へ送信され、このビデオ信号による再生画像をプロジェクタ部１２０が投射する。これにより、通常は電子カメラ２００のメイン液晶表示器２０１に表示される画像をプロジェクタ部１２０によって大きく投射できるから、観察者は、液晶表示器２０１より大きな画面で画像を観察できる。
【００６３】
上述した説明では、電子カメラ２００からクレードル１００へ送信された画像データをメモリカード１５０に記録し、ＣＰＵ１３１がメモリカード１５０から読出し・再生処理した再生画像をプロジェクタ部１２０に投射させるようにした（ステップＳ１５）。電子カメラ２００からクレードル１００へ画像データを送信する代わりに、電子カメラ２００によって画像データが記録されたメモリカード２５０をクレードル１００のメモリスロット１０６内に直接装填し、ＣＰＵ１３１が直接メモリカード２５０から読出し・再生処理した再生画像をプロジェクタ部１２０に投射させるようにしてもよい。
【００６４】
ステップＳ９の「転送中」を示す投射について、転送の状態をさらに細かく示すようにしてもよい。たとえば、「カメラ→クレードル」や、「クレードル→外部機器（本例ではパーソナルコンピュータ）」を示す投射を行う。また、転送開始から転送終了までの進み具合をバーグラフで示すようにしてもよい。
【００６５】
ステップＳ１５において、スライドショー形式で投射を行う場合は、メモリカード１５０に記録されている画像データの中で最初に撮影されたもの（記録日時が最も古いもの）から順に読出して（取得して）投射する。この代わりに、最後に撮影されたもの（記録日時が最も新しいもの）から順に読出して（取得して）投射するようにしてもよい。
【００６６】
表示切換スイッチ１０４からの操作信号に応じて上記（１）〜（４）に対応する投射像をサイクリックに切換え可能にしたが、新たに（５）カメラバッテリー２３６の充電状態を示す充電表示画像を投射させてもよい。ＣＰＵ１３１は、表示切換スイッチ１０４からの操作信号に応じて上記（１）〜（５）に対応する投射像をサイクリックに切換える。充電状態を示すデータは、電子カメラ２００からコントロールインターフェイス(Control I/F)ラインを介して受信してもよいし、外部電源回路１３６による充電電流の変化に基づいてＣＰＵ１３１が生成してもよい。
【００６７】
クレードル１００のＣＰＵ１３１は、伸長処理を施した画像データをプロジェクタ部１２０の投射解像度に応じてリサイズ処理し、リサイズ後のデータをメモリカード１５０に記録するようにした。メモリカード１５０のようなリムーバブル記録媒体の代わりに、クレードル１００内に固定されている（基板上や筐体に実装されている）フラッシュメモリやハードディスクドライブにリサイズ処理後のデータを記録してもよい。
【００６８】
外部機器は、上述したパーソナルコンピュータ３００、プリンタ、ＤＶＤ録画／再生機、監視カメラ、およびフォトデータストレージ装置の他に、ハードディスクドライブ（ＨＤＤ）、ＣＤ−Ｒ／ＲＷ装置、ＭＤ記録／再生装置、ＭＯ記録／再生装置、テレビジョン装置、ＰＤＡ、携帯電話機、デジタルアルバム装置、デジタルフォトスタンド、ドアフォンなどを接続してもよい。
【００６９】
（第二の実施形態）
図３のステップＳ１０においてデータ転送終了を判定した後、画像投射を行わずに充電を再開させてもよい。図４は、第二の実施形態によるプログラムのメイン処理の流れについて説明するフローチャートである。図４による処理は、図３による処理に代えて行われる。
【００７０】
図４は、図３に比べてステップＳ１０を肯定判定後にステップＳ１１へ進む点が異なるので、この相違点を中心に説明する。ステップＳ１０において、ＣＰＵ１３１は、ステップＳ６で未転送を判定した画像データを全て外部機器へ転送した場合にステップＳ１０を肯定判定してステップＳ１１へ進み、未転送のデータが存在する場合にはステップＳ１０を否定判定して当該判定処理を繰り返す。
【００７１】
ステップＳ１１において、ＣＰＵ１３１はプロジェクタ部１２０に投射終了を指示してステップＳ１２へ進む。これにより、ＬＥＤ駆動回路１２４がＬＥＤ光源１２３を消灯させる。
【００７２】
以上説明した第二の実施形態によれば、クレードル１００のＣＰＵ１３１は、クレードル１００を経由して電子カメラ２００から外部機器へ画像データを転送し（ステップＳ７）、転送が終了すると（ステップＳ１０を肯定判定）ステップＳ３で中断した充電を再開（ステップＳ１２）して図４による処理を終了する。これにより、転送内容の確認が不要の場合には、転送終了後ただちに充電を再開することができる。
【００７３】
クレードル１００の機器載置部１００Ｓ上に電子カメラ２００が載置されたことの検出は、カメラインターフェイス１３７内の所定端子の信号レベルを検出することによって検出するようにしたが、マグネットなどを利用して磁気的に検出してもよい。
【００７４】
電子カメラ２００がクレードル１００の機器載置部１００Ｓ上に直接載置され、クレードルインターフェイス２３８およびカメラインターフェイス１３７が物理的に接続される例を説明した。この代わりに、機器載置部１００Ｓ上に電子カメラ２００が直接載置されなくても、電子カメラ２００およびクレードル１００間において、信号の送受信や充電電力の送受信を無線通信によって行う構成にしてもよい。
【００７５】
電子カメラ２００にもプロジェクタ部が備えられている場合は、電子カメラ２００側のプロジェクタ部の解像度がクレードル１００側のプロジェクタ部の解像度より高い場合に限り、電子カメラ２００側のプロジェクタ部による投射を行うようにするとよい。この場合には、クレードル１００側のプロジェクタ部１２０による投射は行わない。プロジェクタ部の解像度情報は、双方のＣＰＵ２３１（電子カメラ２００）およびＣＰＵ１３１（クレードル１００）が通信によって交換する。
【００７６】
プロジェクタ部１２０の構成例として、液晶パネル１２２を用いて光像形成素子を構成し、液晶パネル１２２による像をＬＥＤ光源１２３の光で照明して光像を得る場合を説明したが、自発光式の光像形成素子を用いて構成してもよい。この場合には、画素に対応する点光源を配列して光像形成素子を構成し、画像信号に応じた輝度の光を画素ごとに発光させることにより、光像形成素子が光像を生成する。
【００７７】
以上の説明では画像を扱う電子機器として電子カメラ２００を例に説明したが、電子画像データを送受信する携帯電話機、ＰＤＡ、フォトデータストレージ装置などにも本発明を適用できる。
【００７８】
特許請求の範囲における各構成要素と、発明を実施するための最良の形態における各構成要素との対応について説明する。通信手段は、たとえば、ＣＰＵ１３１およびカメラインターフェイス１３７によって構成される。光像形成素子は、たとえば、液晶パネル１２２によって構成される。プロジェクタ装置は、たとえば、プロジェクタ部１２０によって構成される。信号は、たとえば、デジタル信号やビデオ信号が対応する。投射制御手段、制御手段、リサイズ処理手段、記録手段は、たとえば、ＣＰＵ１３１によって構成される。プロジェクタ付き電子機器用補助装置は、たとえば、クレードル１００によって構成される。記録媒体は、たとえば、メモリカード１５０によって構成される。電力供給手段は、たとえば、外部電源回路１３６によって構成される。なお、以上の説明はあくまで一例であり、発明を解釈する上で、上記の実施形態の構成要素と本発明の構成要素との対応関係に何ら限定されるものではない。
【図面の簡単な説明】
【００７９】
【図１】本発明の第一の実施形態による電子カメラシステムの斜視図である。
【図２】図１の電子カメラシステムの構成を説明するブロック図である。
【図３】クレードルのＣＰＵで実行されるプログラムのメイン処理の流れについて説明するフローチャートである。
【図４】第二の実施形態によるプログラムのメイン処理の流れについて説明するフローチャートである。
【符号の説明】
【００８０】
１００…クレードル
１００Ｓ…機器載置部
１０１…投射スイッチ
１０６…メモリスロット
１２０…プロジェクタ部
１２２…液晶パネル
１３１…ＣＰＵ
１３６…外部電源回路
１３７…カメラインターフェイス
２００…電子カメラ
２０１…メイン液晶表示器
２３１…ＣＰＵ
２３６…バッテリー
２３８…クレードルインターフェイス
２５０…メモリカード
【図１】
2006157349.tif 000003
【図２】
2006157349.tif 000004
【図３】
2006157349.tif 000005
【図４】
2006157349.tif 000006